(57)【要約】      （修正有）【課題】水素生成装置及び水素生成装置の停止方法並びに燃料電池発電装置を提供する。【解決手段】  原料ガス供給手段と、触媒反応器と、複数の連通路ｂ〜ｇと、パージガス供給手段と、制御装置とを有する水素生成装置であって、複数の連通路ｂ〜ｅは、原料ガス供給手段から触媒反応器を通って水素生成装置出口部に到る流路が形成されるように配置され、前記流路は、水素生成装置停止時には、最下流触媒反応器よりも下流部分において、少なくとも１つの大気開放部を有し、パージガス供給手段は、前記流路において、最上流触媒反応器よりも上流部分にパージガスを供給するように構成され、制御装置は、水素生成装置が前記流路内にパージガスが充満して停止している時において、水素生成装置内のパージガスの体積収縮量Ｑが所定収縮量Ａ以上に達すると、パージガス供給手段からパージガスを補充するように水素生成装置を制御する。【選択図】図１
2005350300.tif 000002
【特許請求の範囲】
【請求項１】
原料ガス供給手段と、
原料ガスを水素リッチガスに改質する水蒸気改質法に用いられる触媒反応器を含む１以上の触媒反応器と、
複数の連通路と、
パージガス供給手段と、
制御装置とを有する水素生成装置であって、
前記複数の連通路は、前記原料ガス供給手段から前記触媒反応器を通って水素生成装置出口部に到る流路が形成されるように配置され、
前記流路は、水素生成装置停止時には、前記触媒反応器のうち最下流に位置する最下流触媒反応器よりも下流部分において、少なくとも１つの大気開放部を有し、
前記パージガス供給手段は、前記流路において、前記触媒反応器のうち最上流に位置する最上流触媒反応器よりも上流部分にパージガスを供給するように構成され、
前記制御装置は、前記水素生成装置が前記流路内にパージガスが充満して停止している時において、前記水素生成装置内のパージガスの体積収縮量が所定収縮量以上に達すると、前記パージガス供給手段からパージガスを補充するように前記水素生成装置を制御する、水素生成装置。
【請求項２】
前記所定収縮量は、前記最下流触媒反応器と前記大気開放部との間の流路容積以下の量である、請求項１に記載の水素生成装置。
【請求項３】
前記パージガスの補充は、前記所定収縮量以上前記水素生成装置内全流路容積以下の所定補充量が補充される、請求項２に記載の水素生成装置。
【請求項４】
前記所定補充量は、前記最下流触媒反応器と前記大気開放部との間の流路容積である、請求項３に記載の水素生成装置。
【請求項５】
前記体積収縮量は、前記水素生成装置内のうち高温部の流路容積と前記パージ時温度との温度差とに基づいて算出される高温部体積収縮量である、請求項１に記載の水素生成装置。
【請求項６】
前記高温部は、前記触媒反応器である、請求項５に記載の水素生成装置。
【請求項７】
前記高温部を複数有し、前記各高温部の流路容積と前記パージ時温度との温度差とに基づいて算出される各高温部体積収縮量の総和が高温部体積収縮量である、請求項５に記載の水素生成装置。
【請求項８】
前記触媒反応器は、水蒸気改質反応が行われる改質器と、前記水蒸気改質反応後の水素リッチガス中の一酸化炭素濃度の変成反応が行われる変成器と、前記変成反応後の水素リッチガス中の一酸化炭素濃度の選択酸化反応が行われる選択酸化器であり、
前記高温部は、前記改質器と、前記変成器と、前記選択酸化器である、請求項７に記載の水素生成装置。
【請求項９】
前記改質器に熱を供給する燃焼器と、
前記最下流触媒反応器と前記水素生成装置出口部とを連通する前記連通路から分岐して、前記燃焼器に繋がるように配設された連通路とを有し、
前記燃焼器に前記大気開放部が形成されている、請求項１に記載の水素生成装置。
【請求項１０】
前記原料ガス供給手段が前記パージガス供給手段である、請求項１に記載の水素生成装置。
【請求項１１】
前記燃焼器は、空気供給手段を備え、
前記原料ガス供給手段が前記パージガス供給手段であり、
前記パージガス補充時において、前記原料ガスが前記燃焼器から大気に排出される時には、前記空気供給手段から前記燃焼器に空気が供給される、請求項９に記載の水素生成装置。
成装置。
【請求項１２】
前記空気の供給において、前記燃焼器から排出される原料ガス濃度が可燃濃度未満となる流量で空気が供給される、請求項１１に記載の水素生成装置。
【請求項１３】
請求項１に記載の水素生成装置と、
前記水素生成装置において生成される水素リッチガスを燃料とするように配設された燃料電池とを備える燃料電池発電装置。
【請求項１４】
原料ガス供給手段と、
原料ガスを水素リッチガスに改質する水蒸気改質法に用いられる触媒反応器を含む１以上の触媒反応器と、
複数の連通路と、
パージガス供給手段とを有し、
前記複数の連通路は、前記原料ガス供給手段から前記触媒反応器を通って水素生成装置出口部に到る流路が形成されるように配置され、
前記パージガス供給手段は、前記流路において、前記触媒反応器のうち最上流に位置する最上流触媒反応器よりも上流部分にパージガスを供給するように構成され、
前記流路は、水素生成装置停止時には、前記触媒反応器のうち最下流に位置する最下流触媒反応器よりも下流部分において、少なくとも１つの大気開放部を有している水素生成装置の停止方法であって、
前記水素生成装置が前記流路内にパージガスが充満して停止している時において、前記水素生成装置内のパージガスの体積収縮量を算出するステップと、
前記体積収縮量が所定収縮量以上に達すると、前記パージガス供給手段からパージガスを補充するステップとを有する水素生成装置の停止方法。
【請求項１５】
前記所定収縮量を、前記最下流触媒反応器と前記大気開放部との間の流路容積以下の量に設定する、請求項１４に記載の水素生成装置の停止方法。
【請求項１６】
前記パージガスの補充において、前記所定収縮量以上前記水素生成装置内全流路容積以下の所定補充量を補充する、請求項１５に記載の水素生成装置の停止方法。
【請求項１７】
前記所定補充量は、前記最下流触媒反応器と前記大気開放部との間の流路容積である、請求項１６に記載の水素生成装置の停止方法。
【請求項１８】
前記体積収縮量は、前記水素生成装置内のうち高温部の流路容積と前記パージ時温度との温度差とに基づいて算出される高温部体積収縮量である、請求項１４に記載の水素生成装置の停止方法。
【請求項１９】
前記高温部は、前記触媒反応器である、請求項１８に記載の水素生成装置の停止方法。
【請求項２０】
前記高温部を複数有し、前記各高温部の流路容積と前記パージ時温度との温度差とに基づいて算出される各高温部体積収縮量の総和が高温部体積収縮量である、請求項１８に記載の水素生成装置の停止方法。
【請求項２１】
前記触媒反応器は、水蒸気改質反応が行われる改質器と、前記水蒸気改質反応後の水素リッチガス中の一酸化炭素濃度の変成反応が行われる変成器と、前記変成反応後の水素リッチガス中の一酸化炭素濃度の選択酸化反応が行われる選択酸化器であり、
前記高温部は、前記改質器と、前記変成器と、前記選択酸化器である、請求項２０に記載の水素生成装置の停止方法。
【請求項２２】
前記改質器に熱を供給する燃焼器と、
前記最下流触媒反応器と前記水素生成装置出口部とを連通する前記連通路から分岐して、前記燃焼器に繋がるように配設された連通路とを有し、
前記燃焼器に前記大気開放部が形成されている、請求項１４に記載の水素生成装置の停止方法。
【請求項２３】
前記原料ガス供給手段が前記パージガス供給手段である、請求項１４に記載の水素生成装置の停止方法。
【請求項２４】
前記燃焼器は、空気供給手段を備え、
前記原料ガス供給手段が前記パージガス供給手段であり、
前記パージガス補充時において、前記原料ガスが前記燃焼器から大気に排出される時には、前記空気供給手段から前記燃焼器に空気を供給する、請求項２２に記載の水素生成装置の停止方法。
【請求項２５】
前記空気の供給において、前記燃焼器から排出される原料ガス濃度が可燃濃度未満となる流量で空気を供給する、請求項２４に記載の水素生成装置の停止方法。
【発明の詳細な説明】
【技術分野】
【０００１】
本発明は、水素生成装置及びその停止方法並びに燃料電池発電装置に関し、特に、水素生成装置の停止中における触媒体の活性低下の抑制に関する。
【背景技術】
【０００２】
燃料電池の燃料には、一般的には、水素リッチな改質ガス（以下、水素リッチガスという）が用いられている。この水素リッチガスの生成には、炭化水素系の原料と水蒸気との水蒸気改質反応により水素ガスを主成分とする改質ガスを生成させる水素生成装置が一般的に用いられている。そして、この水蒸気改質反応は、触媒作用によって進行することから、この水素生成装置には触媒（例えば、ニッケル系、ルテニウム系、ロジウム系、白金系、銅-亜鉛系、ルテニウム系）が用いられている。この触媒は、一般的に酸化雰囲気に晒されると触媒活性が低下してしまうことから、水素生成装置の停止時には、触媒を酸化させないように措置する必要がある。一般的には、水素生成装置の停止直後に流路内が不活性ガス等（例えば、窒素）のパージガスによってパージされる方法が用いられている。
【０００３】
また、水素生成装置の停止方法をより経済的に実施するために、パージガスに原料ガスを用いる方法も提案されている（例えば、特許文献１参照）。
【特許文献１】特開２００２−１５１１２４号公報
【発明の開示】
【発明が解決しようとする課題】
【０００４】
しかしながら、水素生成装置の停止後であって、水素生成装置の流路内をパージガスでパージした後、流路内のパージガスの温度が低下するにつれ、流路内のパージガスは体積収縮を起こす。このため、パージガスの体積収縮に伴い、流路には、空気が流入してしまい、改質器などの触媒が酸化雰囲気に晒されてしまうおそれがある。
【０００５】
もっとも、流路を耐圧構造とし、大気開放部、あるいは触媒が配設されている部位の前後に開閉弁を配設することによって、流路全体あるいは流路の特定区間を密閉可能なように構成しておいて、水素生成装置の停止後であって、流路内をパージガスで充満させた後、開閉弁を閉止し、パージガスの体積収縮によって負圧となる流路内あるいはその特定区間内への空気の流入を防止することも可能であろう。しかし、これでは、負圧でも使用できる弁や流路構造にする必要があり、水素生成装置の構造の複雑化とコストアップを招来するおそれが高い。
【０００６】
そこで、本発明は、上記のような課題を解決するためになされたもので、水素生成装置の停止後であって、流路内をパージガスでパージした後において、簡便な方法により、水素生成装置内の触媒をパージガス雰囲気中に維持することを可能とする水素生成装置及び水素生成装置の停止方法並びに燃料電池発電装置を提供することを目的とする。
【課題を解決するための手段】
【０００７】
上記課題を解決するために、本発明に係る水素生成装置及び水素生成装置の停止方法は、原料ガス供給手段と、原料ガスを水素リッチガスに改質する水蒸気改質法に用いられる触媒反応器を含む１以上の触媒反応器と、複数の連通路と、パージガス供給手段と、制御装置とを有する水素生成装置であって、前記複数の連通路は、前記原料ガス供給手段から前記触媒反応器を通って水素生成装置出口部に到る流路が形成されるように配置され、前記流路は、水素生成装置停止時には、前記触媒反応器のうち最下流に位置する最下流触媒反応器よりも下流部分において、少なくとも１つの大気開放部を有し、前記パージガス供給手段は、前記流路において、前記触媒反応器のうち最上流に位置する最上流触媒反応器よりも上流部分にパージガスを供給するように構成され、
前記制御装置は、前記水素生成装置が前記流路内にパージガスが充満して停止している時において、前記水素生成装置内のパージガスの体積収縮量が所定収縮量以上に達すると、前記パージガス供給手段からパージガスを補充するように前記水素生成装置を制御する（請求項１）。
【０００８】
あるいは、本発明に係る水素生成装置の停止方法は、原料ガス供給手段と、原料ガスを水素リッチガスに改質する水蒸気改質法に用いられる触媒反応器を含む１以上の触媒反応器と、複数の連通路と、パージガス供給手段とを有し、前記複数の連通路は、前記原料ガス供給手段から前記触媒反応器を通って水素生成装置出口部に到る流路が形成されるように配置され、前記パージガス供給手段は、前記流路において、前記触媒反応器のうち最上流に位置する最上流触媒反応器よりも上流部分にパージガスを供給するように構成され、前記流路は、水素生成装置停止時には、前記触媒反応器のうち最下流に位置する最下流触媒反応器よりも下流部分において、少なくとも１つの大気開放部を有している水素生成装置の停止方法であって、前記水素生成装置が前記流路内にパージガスが充満して停止している時において、前記水素生成装置内のパージガスの体積収縮量を算出するステップと、前記体積収縮量が所定収縮量以上に達すると、前記パージガス供給手段からパージガスを補充するステップとを有する（請求項１４）。
【０００９】
以上のように構成すると、水素生成装置内の触媒をパージガス雰囲気中に維持することを可能とするので、水素生成装置内の触媒の活性低下を抑制することができる。
【００１０】
前記所定収縮量は、前記最下流触媒反応器と前記大気開放部との間の流路容積以下の量であるとよい（請求項２，１５）。このように構成すると、空気が最下流触媒反応器に到達する前にパージガスの補充を開始することができるので、水素生成装置内の触媒の活性低下をより抑制することができる。
【００１１】
前記パージガスの補充は、前記所定収縮量以上前記水素生成装置内全流路容積以下の所定補充量が補充されるとよい（請求項３，１６）。このように構成すると、流入した空気量より多くパージガスを補充することができるので、パージガスの消費量を節約しながら、水素生成装置内の触媒の活性低下を抑制することができる。
【００１２】
前記所定補充量は、前記最下流触媒反応器と前記大気開放部との間の流路容積であるとよい（請求項４，１７）。このように構成すると、下流側のパージガスを全て入れ替えることができるので、より確実に水素生成装置内の触媒の活性低下を抑制することができる。
【００１３】
前記体積収縮量は、前記水素生成装置内のうち高温部の流路容積と前記パージ時温度との温度差とに基づいて算出される高温部体積収縮量であるとよい（請求項５、１８）。このように構成すると、大気開放下の一定圧力の下では、理想気体の状態式に基づいて、温度差を利用してパージガスの体積収縮量を算出できるので、流路部内への空気の進入量を推測することができる。
【００１４】
前記高温部は、前記触媒反応器であるとよい（請求項６、１９）。このように構成すると、触媒反応器の温度検出手段を前記高温部の温度差の検出に活用できるので、より簡便にパージガスの体積収縮量を算出することができる。
【００１５】
前記水素生成装置は、前記高温部を複数有し、前記各高温部の流路容積と前記パージ時温度との温度差とに基づいて算出される各高温部体積収縮量の総和が高温部体積収縮量であるとよい（請求項７、２０）。このように構成すると、大気開放下の一定圧力の下では、理想気体の状態式に基づいて、温度差を利用して各高温部のパージガスの体積収縮量を近似的に算出できるので、その総和から流路部内への空気の進入量を推測することができる。
【００１６】
前記触媒反応器は、水蒸気改質反応が行われる改質器と、前記水蒸気改質反応後の水素リッチガス中の一酸化炭素濃度の変成反応が行われる変成器と、前記変成反応後の水素リッチガス中の一酸化炭素濃度の選択酸化反応が行われる選択酸化器であり、前記高温部は、前記改質器と、前記変成器と、前記選択酸化器であるとよい（請求項８，２１）。このように構成すると、改質反応後の水素リッチガス中の一酸化炭素濃度を低減できるので、質の高い水素リッチガスを生成することができる。
【００１７】
前記水素生成装置は、前記改質器に熱を供給する燃焼器と、前記最下流触媒反応器と前記水素生成装置出口部とを連通する前記連通路から分岐して、前記燃焼器に繋がるように配設された連通路とを有し、前記燃焼器に前記大気開放部が形成されているとよい（請求項９，２２）。このように構成すると、大気開放部と最下流触媒反応器との間の流路容積を大きくすることができるので、空気の拡散流入による触媒への影響のおそれも軽減できる。また、許容できる空気の流入量を大きくすることができる。
【００１８】
前記水素生成装置は、前記原料ガス供給手段が前記パージガス供給手段であるとよい（請求項１０、２３）。このように構成すると、ボンベ、ポンプ等パージガス供給手段が不要となるので、水素生成装置の構造を簡素化できる。
【００１９】
前記燃焼器は、空気供給手段を備え、前記原料ガス供給手段が前記パージガス供給手段であり、前記パージガス補充時において、前記原料ガスが前記燃焼器から大気に排出される時には、前記空気供給手段から前記燃焼器に空気が供給されるとよい（請求項１１、２４）。このように構成すると、原料ガスを希釈して外部に排出することができるので、外気への影響を緩和することができる。
【００２０】
前記水素生成装置は、前記空気の供給において、前記燃焼器から排出される原料ガス濃度が可燃濃度未満となる流量で空気が供給されるとよい（請求項１２，２５）。このように構成すると、原料ガスが外部において不測の燃焼を起こす心配が解消される。
【００２１】
本発明に係る燃料電池発電装置は、請求項１に記載の水素生成装置と、前記水素生成装置において生成される水素リッチガスを燃料とするように配設された燃料電池とを備える（請求項１３）。このように構成すると、触媒の活性低下を抑制する水素生成装置内を用いるので、より経済的な燃料電池発電装置とすることができる。
【発明の効果】
【００２２】
以上のように、本発明は、水素生成装置の停止後であって、流路内をパージガスでパージした後において、簡便な方法により、水素生成装置内の触媒をパージガス雰囲気中に維持することを可能とするので、水素生成装置内の触媒の活性低下を抑制するという効果を奏する。
【発明を実施するための最良の形態】
【００２３】
以下、本発明を実施するための最良の形態について図面を参照しながら説明する。
【００２４】
（実施の形態１）
図１は、燃料電池と接続された実施の形態１に係る水素生成装置の概略構成を示す模式図である。水素生成装置１００は、一般的には、燃料電池、アンモニア合成システムなど水素リッチガスを利用する装置と接続されて使用されるものである。ここでは、燃料電池２００が接続されて、水素リッチガスを燃料として発電するように配設されている。具体的には、水素生成装置出口部に配設された開閉弁１００ａは燃料電池２００と接続されている。より正確には、燃料電池２００のアノードガス流路２００ａと接続されている。そして、アノードガス流路２００ａは余剰の水素リッチガスを含んで排出するアノードガス排出流路２０１に繋がっている。
【００２５】
水素生成装置１００は、原料ガス供給手段５、３つの触媒反応器（改質器１、変成器７及び選択酸化器９）及び燃焼器２とこれらを連通する連通路ｂ〜ｆを有して形成されている。ここでは、原料ガス供給手段５から順に、改質器１、変成器７，選択酸化器９（最下流触媒反応器）を接続するように連通路ｂ〜ｄが形成されている。選択酸化器９から水素生成装置出口部（開閉弁）１００ａに到るように連通路ｅが構成されている。また連通路ｂ〜ｅにおいては、燃焼器２に繋がる連通路ｆが構成されている。これによって、水素リッチガスあるいは原料ガスを燃焼器２に供給することが可能となる。ここでは、連通路ｅにおいて分岐して、燃焼器２に繋がる連通路ｆが構成されている。連通路ｆは、途中に開閉弁ｆａを有している。これによって、燃料電池２００の発電時には、開閉弁ｆａを閉止して、連通路ｆを遮断することにより、燃焼器２への水素リッチガスの供給を遮断することができる。また、触媒反応器とは、流通するガスが触媒に曝露されるように構成されている反応器である。例えば、反応容器内に流路が形成されていて、かかる流路には、触媒を担持した壁面から構成されるハニカム形状の触媒体、あるいは、触媒を担持した球状の触媒体が配置されている。
【００２６】
また、ここでは、アノードガス排出流路２０１が分岐されて、連通路ｆに繋がるように構成されている。具体的には、連通路ｆから分岐する連通路ｇが設けられ、連通路ｇに開閉弁１００ｂが配設されている。他方、分岐されたアノードガス排出流路２０１は分開閉弁１００ｂに接続されている。これによって、余剰の水素リッチガスが燃焼器２に導入されることが可能となるので、余剰の水素リッチガスの有効利用、ひいては、燃料電池発電装置３００のエネルギー効率の向上を図ることができる。なお、連通路ｆと連通路ｇとの分岐場所は、開閉弁ｆａの上流側、あるいは下流側どちら側でも構わない。ただし、開閉弁ｆａと燃焼器２との間とすることで、連通路ｆの遮断をより確実にすることができる。
【００２７】
ここでは、連通路ｂ乃至ｇは配管で構成されている。
【００２８】
原料ガス供給手段５は、連通路ｂに原料ガスを供給するように配設されている。ここでは、都市ガス（天然ガス）とプランジャーポンプとが用いられている。また、ニードル弁、電磁弁等の流量調節具を備え、これによって、供給量の調整や遮断ができるように構成されている。また、原料ガス供給手段５として、ボンベ等原料ガスを充填した機材が用いられてもよい。
【００２９】
なお、原料ガスが、硫黄分を含有している場合には、原料ガス供給手段５には、原料ガスの硫黄成分を除去する脱硫器が備えられている（図示せず）。ここでは、原料ガスに天然ガスが用いられているので、脱硫器にはゼオライト吸着剤が用いられている。ただし、原料ガスに硫黄分が含まれていない原料ガスが使用される場合には、脱硫器は不要である。例えば、ＧＴＬ（Gas To Liquids）燃料やＤＭＥ（ジメチルエーテル）燃料が用いられる場合である。
【００３０】
改質器１は、硫黄成分が除去された原料ガスと水とを触媒作用によって水蒸気改質反応させ、原料ガスを水素リッチガスに改質するよう構成されている。一般的には、ニッケル系、ルテニウム系、ロジウム系などの触媒が用いられている。ここでは、ルテニウム系触媒をアルミナに担持し調整したペレット状の触媒体が用いられている。
【００３１】
また、改質器１には、その内部の水蒸気改質反応の雰囲気温度を検出する改質器温度検出手段４が配設されている。改質器温度検出手段４には、熱伝対等の温度センサが用いられている。
【００３２】
なお、水を蒸発させる蒸発装置（図示せず）は改質器１の内部に設置されても改質器１の外部に設置されても良い。ここでは、蒸発装置（図示せず）は改質器１の内部に設置され、水供給手段１６から水が供給されるように構成されている。ここでは、プランジャーポンプが用いられている。また、ニードル弁、電磁弁等の流量調節具を備え、これによって、供給量の調整や遮断ができるように構成されている。
【００３３】
燃焼器２は、改質器１に対し水蒸気改質反応に必要な熱を供給するように構成されている。燃焼器２には、少なくとも燃料、水素リッチガスあるいは原料ガスのいずれかが供給されている。そして、それらが空気と混合して燃焼反応して、その燃焼排ガスが大気中に放出されるように構成されている。ここでは、燃料供給手段１７から、アノードガス排出流路２０１及び連通路ｇ、ｆを介して燃料電池２００から、あるいは連通路ｆから、燃料、水素リッチガスあるいは原料ガスが開閉弁１００ａ，ｆａ等により選択的に供給可能なように構成されている。空気は、空気供給手段３から供給されるように構成されている。そして、燃焼後の燃焼排ガスが大気中に放出されるよう大気開放されて構成されている。
【００３４】
空気供給手段３は、流量調整が可能な公知の供給手段が用いられている。ここでは、シロッコファンが用いられている。また、シロッコファンの回転数調節や、内蔵されているニードル弁、電磁弁等流量調節具によって、供給量の調整や遮断ができるように構成されている。
【００３５】
変成器７は、水素リッチガス中の一酸化炭素を触媒作用によって変成反応（主に、シフト反応）させるように構成されている。一般的には、白金系、銅-亜鉛系の触媒が用いられている。ここでは、白金をＣｅ酸化物に担持しハニカム基体に調整した触媒体が用いられている。
【００３６】
変成器７には、その内部の変性反応の雰囲気温度を検出する変成器温度検出手段８が配設されている。変成器温度検出手段８には、熱伝対等の温度センサが用いられている。
【００３７】
選択酸化器９は、水素リッチガス中の一酸化炭素を触媒作用によって選択酸化反応させるように構成されている。一般的には、白金系、ルテニウム系の触媒が用いられている。ここでは、白金をアルミナに担持しハニカム基体に調整した触媒体が用いられている。また、図示しないが、選択酸化器９は、選択酸化反応に必要な酸化ガスとして空気が供給されるように構成されている。例えば、選択酸化器９内の選択酸化反応雰囲気に空気が供給されるようにエアーポンプ及び空気流路が配設されている。
【００３８】
選択酸化器９には、その内部の選択酸化反応の雰囲気温度を検出する選択酸化器温度検出手段１０が配設されている。選択酸化器温度検出手段１０には、熱伝対等の温度センサが用いられている。
【００３９】
制御装置１５は、水素生成装置１００の動作を制御するように構成されている。また、制御装置１５は、マイコン等の演算制御部と、メモリ等の記憶部とを有して構成されている（図示せず）。
【００４０】
ここで、制御装置とは、単独の制御装置だけでなく、複数の制御装置が協働して制御を実行する制御装置群をも含んで意味する。よって、制御装置１５は、単独の制御装置から構成される必要はなく、複数の制御装置が分散配置されていて、それらが協働して水素生成装置１００の動作を制御するように構成されていてもよい。
【００４１】
次に、水素生成装置１００の動作について、運転時及び停止時の動作を概略説明する。これらの動作は制御装置１５によって制御されることにより遂行される。
【００４２】
まず、原料ガス供給手段５によって、脱硫された原料ガス（ここでは天然ガス）を改質器１に供給する。
【００４３】
また、改質器１には、水供給手段１６から水を供給する。水蒸気改質反応のモル比バランス以上となるように水供給手段１６を調整する。より望ましくは、水の供給量が原料ガス中の炭素原子数の約３倍となるように調整する。これによって、モル比バランスにおいて水分の裕度が得られるので、原料ガスの供給量の変動等によっても水蒸気不足の状況に陥らないようにすることができる。
【００４４】
改質器１においては、水を蒸発装置（図示せず）によって水蒸気に気化して、原料ガスと混合する。改質反応の雰囲気を燃焼器２の供給熱等によって触媒の活性温度（例えば、ルテニウム系触媒の場合、約６５０℃）に保ち、供給された原料ガスと水蒸気との改質反応が触媒上で進行させ、水素リッチガスを生成する。なお、改質器温度検出手段４の検出温度に基づき、改質反応の雰囲気が触媒活性温度となるように、少なくとも燃焼器２からの供給熱量、原料ガス供給手段５の供給量、あるいは水供給手段１６の供給量を制御する。燃焼器２からの供給熱量の調整は、例えば、燃料供給手段１７の調整によって実現することができる。
【００４５】
改質器１で生成された水素リッチガスは連通路ｃを通って変成器７に供給される。変成器７においては、変成反応雰囲気を触媒の活性温度（白金系触媒の場合、約２５０℃）に保ち、供給された水素リッチガス中の一酸化炭素の変成反応を触媒上で進行させる。水素リッチガスの一酸化炭素濃度が低下する。例えば、改質器１で生成された水素リッチガス中には、一酸化炭素および二酸化炭素が約１０％（ドライガスベース）含まれるところ、一酸化炭素濃度が約０．５％、二酸化炭素濃度が約１９．５％（ドライガスベース）に低減される。
【００４６】
変成器７を経由した水素リッチガスは連通路ｄを通って選択酸化器９に供給される。選択酸化器９においては、選択酸化反応雰囲気を触媒の活性温度（白金系触媒の場合、約１２０℃〜１６０℃）に保ち、供給された水素リッチガス中の一酸化炭素と酸素との選択酸化反応を触媒上で進行させ、水素リッチガスの一酸化炭素濃度はさらに低下する。例えば、水素生成装置１００に接続する燃料電池２００が高分子電解質型燃料電池の場合、一酸化炭素濃度が約２０ｐｐｍ以下にまで低減される。
【００４７】
選択酸化器９を経由した水素リッチガスは連通路ｅを通って開閉弁１００ａから外部の装置に供給される。ここでは、燃料電池２００に供給される。
【００４８】
次に、水素生成装置１００の停止時の動作を説明する。
【００４９】
まず、燃料供給手段１７を閉止して燃焼器２の燃焼反応を停止させる。これによって、改質器１の改質反応雰囲気の温度が低下し、改質反応が停止する。そして、開閉弁１００ａ、選択酸化器９の空気流入流路（図示せず）、開閉弁１００ｂを閉止して、原料ガス供給手段５により、連通路ｂに原料ガスを供給する。なお、開閉弁ｆａは、開放状態にされる。
【００５０】
原料ガスは、水素生成装置１００内の残留ガスをパージする。ここでは、原料ガスは、連通路ｂ、改質器１、連通路ｃ、変成器７、連通路ｄ、選択酸化器９、連通路ｅ、連通路ｆ及び燃焼器２（以下、流路部という）を流れて燃焼器２から排出されながら、残留ガスをパージするとともに、流路部に原料ガスが充満する。
【００５１】
原料ガスが充満した状態で、原料ガス供給手段５を閉止して、原料ガスの供給を停止する。
【００５２】
なお、水素生成装置１００の停止時の原料ガスの供給は、運転時から継続してもよい。あるいは、最終的に原料ガスによって残留ガスをパージすればよく、途中の動作において、原料ガスの供給を中断したり、他の不活性ガスや水蒸気でパージしても構わない。
【００５３】
次に、水素生成装置１００の停止後の操作を説明する。ここでは、パージガスに原料ガスが用いられているので、以下においてパージガスは原料ガスを指す。
【００５４】
上記の原料ガスによるパージ後、改質器１、変成器７及び選択酸化器９のうち流路部の最下流に位置する選択酸化器９よりもさらに下流部分の流路部において、少なくとも１つの大気開放部を設けた状態とする。これによって、パージガスの温度低下による体積収縮がおきても、大気開放部から空気が流入するので、流路部内は負圧にならず、かつ空気の流入経路を特定することができる。また、パージガスの体積収縮量を把握することによって、空気の流路部内への流入量を把握することが可能となり、大気開放部からの流入状況を判断することができる。ここで、流路部内は大気圧でほぼ一定なので、理想気体の状態式（圧力Ｘ体積＝気体質量Ｘガス定数Ｘ絶対温度）より、温度差が体積差に比例することから、流路容積と、パージ時の温度との温度差とを取得すればパージガスの体積収縮量を算出することができる。さらに、原料ガス供給手段５は流路部の最上流の触媒反応器、すなわち、ここでは改質器１より上流部分にあり、かつ、流路部の大気開放部は最下流の触媒反応器、すなわち、ここでは選択酸化器９より下流部分にあるので、パージガスの補充によって、流入した空気が選択酸化器９にまで到達するまでに、流入した空気を大気開放部へと押し流すことができる。
【００５５】
なお、流路部の大気開放部は触媒反応器からは遠い方が良い。これによって、許容できる空気の流入量が多くなる。また、空気の拡散流入による触媒への影響のおそれも軽減できる。
【００５６】
ここでは、開閉弁１００ａ、選択酸化器９の空気流入流路（図示せず）、開閉弁１００ｂを閉止したままにしておくことによって、大気開放部を燃焼器２のみとする。
【００５７】
具体的には、流路部の流路容積を予め測定及び計算しておく。そして、パージ時及び停止中のこれら各部分の温度を検出してパージ時温度との温度差を取得し、体積収縮量Ｑ＝（流路部の流路容積）Ｘ（温度差）／（パージ時の絶対温度）によって、パージガスの体積収縮量Ｑを算出する。体積収縮量Ｑが所定収縮量Ａ以上に達する場合には、流路部内にパージガスを補充するように動作させる。なお、体積収縮量Ｑの算出式は制御装置１５に記憶されている。
【００５８】
また、流路部内は、温度分布が均一ではないので、外気温度と温度差が大きい流路部分である高温部について、その流路容積を予め測定及び計算しておき、高温部のパージ時及び停止中の温度を検出すれば合理的である。特に触媒反応器は、設定温度が高温である上、温度管理のため温度検出手段が設けられているので、これら温度検出手段を活用することができる。
【００５９】
このような高温部が複数ある場合には、各高温部の体積収縮量を算出し、その総和によって、体積収縮量Ｑを算出する。ここでは、温度変化が大きい部位は、触媒反応器、すなわち、改質器１，変成器７及び選択酸化器９であり、これらの温度検出手段が改質器温度検出手段４、変成器温度検出手段８及び選択酸化器温度検出手段１０である。
【００６０】
図２は、実施の形態１に係る水素生成装置の停止中における動作例を示すフローチャートである。
【００６１】
まず、ステップＳ１において、原料ガス供給手段５が閉止されて、上記の原料ガスによるパージが終了する。
【００６２】
次に、ステップＳ２において、改質器温度検出手段４によって検出される改質器温度Ｔｒ、変成器温度検出手段８によって検出される変成器温度Ｔｓ、選択酸化器温度検出手段１０によって検出される選択酸化器温度Ｔｐが制御装置１５に記憶される。
【００６３】
次に、ステップ３において、再度、改質器温度検出手段４による改質器温度Ｔｒｎ、変成器温度検出手段８による変成器温度Ｔｓｎ、選択酸化器温度検出手段１０による選択酸化器温度Ｔｐｎを検出する。改質器１内、変成器７内及び選択酸化器９内のパージガスは、自然放熱もしくはファンによる空冷など不特定の原因により温度が低下するので、時間経過とともに、ステップ２において検出された温度Ｔｒ，Ｔｓ，Ｔｐとステップ３において検出された温度Ｔｒｎ，Ｔｓｎ，Ｔｐｎとの温度差が生じてくる。ここで、ステップＳ２とステップＳ３との間に時間間隔を設けるようにしてもよい。例えば、制御装置１５が、予め記憶している時間間隔値に基づいて、温度検出手段４，８，１０の検出温度から温度Ｔｒｎ，Ｔｓｎ，Ｔｐｎをサンプリングするようにしてもよい。あるいは、温度検出手段４，８，１０が、予め設定された時間間隔値に基づいて、温度Ｔｒｎ，Ｔｓｎ，Ｔｐｎを検出するようにしてもよい。
【００６４】
そして、ステップ４において、ステップＳ２及びステップＳ３の温度差（Ｔｒ−Ｔｒｎ、Ｔｓ−Ｔｓｎ、Ｔｐ−Ｔｐｎ）を演算して、所定の演算式に基づいて、改質器１内、変成器７内及び選択酸化器９内のパージガスの体積収縮量Ｑを演算する。所定の演算式は、予め制御装置１５に記憶されている。
【００６５】
ここで、パージガスの体積は一定圧力下では、絶対温度の変化に比例して変化する（図３は、同一圧力下における温度変化によるガス体の体積変化を示すグラフである）。そこで、改質器１内、変成器７内及び選択酸化器９内の絶対温度の変化割合によって、これらにおけるパージガスの体積収縮量Ｑを演算する。例えば、所定の演算式は、Ｑ＝（Ｔｒ−Ｔｒｎ）／（Ｔｒ＋２７３．１５）×（改質器１の流路容積）＋（Ｔｓ−Ｔｓｎ）／（Ｔｓ＋２７３．１５）×（変成器７の流路容積）＋（Ｔｐ−Ｔｐｎ）／（Ｔｐ＋２７３．１５）×（選択酸化器９の流路容積）として表現することができる。
【００６６】
そして、ステップＳ５において、体積収縮量Ｑが所定収縮量Ａと比較される。
【００６７】
所定収縮量Ａは、触媒の配設位置（ここでは選択酸化器９）にまで空気が到達する可能性がある量に設定される。ここでは、大気開放部は燃焼器２のみであるので、体積収縮量Ｑが、選択酸化器出口部９ａから燃焼器入口部２ａまでの流路容積、すなわち近似的には連通路ｅ及び連通路ｆの流路容積（以下、下流側流路部容積という）よりも大きくなると空気が選択酸化器９に到達する可能性が生ずることになる。そこで、下流側流路部容積を所定収縮量Ａと設定する。また、所定収縮量Ａを下流側流路部容積未満、例えば、その半分と設定することによって、より予防的な設定としてもよい。所定収縮量Ａは、予め制御装置１５に記憶されている。
【００６８】
ここで、体積収縮量Ｑが所定収縮量Ａ未満の場合には、ステップＳ３に戻り、改質器温度Ｔｒｎ、変成器温度Ｔｓｎ、選択酸化器温度Ｔｐｎが再度検出され、上述のステップが繰り返される。
【００６９】
他方、体積収縮量Ｑが所定収縮量Ａ以上に達した場合には、ステップＳ６に進み、原料ガス供給手段５を動作させ、流路部内にパージガスを補充する。また、補充時のパージガスの補充量は、理論的には、少なくとも、体積収縮量Ｑより多く補充されれば足りる。また、より予防的には、下流側流路部容積以上を補充すれば足りる。
【００７０】
ステップＳ６における補充終了後には、ステップＳ２に戻り、改質器温度Ｔｒ、変成器温度Ｔｓ、選択酸化器温度Ｔｐが改めて検出され、制御装置１５の記憶が更新される。そして、ステップＳ３に進み、上述のステップが繰り返される。
【００７１】
これらのステップは、水素生成装置１００の停止中継続される。
【００７２】
なお、実施の形態１では、パージガスに原料ガスを用いている。これにより、ボンベ、ポンプ等パージガス供給手段が不要となるので、水素生成装置をより簡便にすることができる。
【００７３】
[変形例１]  
変形例１は、パージガスの補充における体積収縮量Ｑの算出方法の変形例である。すなわち、既に算出された体積収縮量Ｑをパージ済体積収縮量Ｂとして記憶しておく。そして、補充後、再度検出される検出温度Ｔｒｎ、Ｔｓｎ、Ｔｐｎから算出される体積収縮量とパージ済体積収縮量Ｂとの差分を体積収縮量Ｑとして算出するようにしたものである。
【００７４】
図４は、変形例１に係る水素生成装置の停止中における動作を示すフローチャートである。このフローチャートに示される動作例は、上述のように、水素生成装置１００が制御装置１５によって制御されることにより遂行される。なお、変形例１の構成と、変形例１の運転及び停止時動作とは、上述と同様なので説明を省略する。
【００７５】
図４において、ステップＳ２までは、図２の動作例と同様である。
【００７６】
ステップ３において、パージ済収縮量Ｂ＝０に設定され、制御装置１５に記憶される。なお、パージ済収縮量の初期設定、すなわち、Ｂ＝０は、制御措置１５が、パージ動作終了時に自動的に設定するように構成してもよい。
【００７７】
ステップＳ４において、改質器温度検出手段４による改質器温度Ｔｒｎ、変成器温度検出手段８による変成器温度Ｔｓｎ、選択酸化器温度検出手段１０による選択酸化器温度Ｔｐｎを検出する。ここで、ステップＳ２とステップＳ４との間に時間間隔を設けるようにしてもよいことは上述と同様である。
【００７８】
ステップ５において、ステップＳ２及びステップＳ４の温度差（Ｔｒ−Ｔｒｎ、Ｔｓ−Ｔｓｎ、Ｔｐ−Ｔｐｎ）を基にして、改質器１内、変成器７内及び選択酸化器９内のパージガスの体積収縮量Ｑを算出する。
ここで、体積収縮量Ｑの算出は上述と同様である。ただし、パージ後の温度Ｔｒ，Ｔｓ，Ｔｐを基準として改質器１内、変成器７内及び選択酸化器９内の絶対温度の変化割合から体積収縮量を算出し、かかる体積収縮量からパージ済体積収縮量Ｂを控除して演算する点が異なる。例えば、所定の演算式は、Ｑ＝（Ｔｒ−Ｔｒｎ）／（Ｔｒ＋２７３．１５）×（改質器１の流路容積）＋（Ｔｓ−Ｔｓｎ）／（Ｔｓ＋２７３．１５）×（変成器７の流路容積）＋（Ｔｐ−Ｔｐｎ）／（Ｔｐ＋２７３．１５）×（選択酸化器９の流路容積）−Ｂとして表現することができる。所定の演算式は、予め制御装置１５に記憶されている。
【００７９】
そして、ステップＳ６において、体積収縮量Ｑが所定収縮量Ａと比較される。
【００８０】
所定収縮量Ａは、上述と同様にして設定される。
【００８１】
体積収縮量Ｑが所定収縮量Ａ未満の場合には、ステップＳ４に戻り、上述と同様に、改質器温度Ｔｒｎ、変成器温度Ｔｓｎ、選択酸化器温度Ｔｐｎが再度検出され、変形例１のステップが繰り返される。
【００８２】
他方、体積収縮量Ｑが所定収縮量Ａ以上に達した場合には、ステップＳ７に進み、上述と同様にパージガスが補充される。パージガスの補充量も上述と同様である。
【００８３】
ステップＳ７における補充終了後には、ステップＳ８において、パージ済体積収縮量Ｂ＝Ｑと更新される。そして、ステップＳ４に戻り、改質器温度Ｔｒｎ、変成器温度Ｔｓｎ、選択酸化器温度Ｔｐｎが再度検出され、変形例１のステップが繰り返される。
【００８４】
これらのステップは、水素生成装置１００の停止中継続される。
【００８５】
［変形例２］
図５は、変形例２に係る水素生成装置の要部の概略構成を示す模式図である。
【００８６】
変形例２は、原料ガス供給手段５とは別個にパージガス供給手段１８が配置されている点が上述と異なる。変形例２のその他の構成は、［変形例１］を含めた（実施の形態１）と同様としているので説明を省略する。
【００８７】
パージガス供給手段１８は、プランジャーポンプと窒素等不活性ガスのボンベとが用いられている。また、ニードル弁、電磁弁等の流量調節具を備え、これによって、供給量の調整や遮断ができるように構成されている。
【００８８】
パージガス供給手段１８は、触媒反応器のうち最上流に位置する最上流触媒反応器、すなわち、ここでは改質器１、よりも上流部分の流路部にパージガスを供給するように配置されている。ここでは、連通路ｂの原料ガス供給手段５近傍に供給するように配置されている。あるいは、原料ガス供給手段５にパージガスを供給するように配置してもよい。
【００８９】
そして、変形例２の停止時及び停止後の動作は、［変形例１］を含めた（実施の形態１）における原料ガス供給手段５の操作をパージガス供給手段６の操作に置換して行う。
【００９０】
変形例２の運転時の動作は、［変形例１］を含めた（実施の形態１）と同様としているので説明を省略する。
【００９１】
（実施の形態２）
図６は、燃料電池と接続された実施の形態２に係る水素生成装置の概略構成を示す模式図である。図５において、図１と同一又は相当する部分は同一符号を付して、その説明を省略する。実施の形態２は実施の形態１に、原料ガス流量検出手段１２と空気流量検出手段１３を追加したものであり、他の構成は同じである。なお、実施の形態２は、パージガスに原料ガスを用いた場合の実施の形態である。
【００９２】
原料ガス流量検出手段１２は、連通路ｂを流通する原料ガスの流量を検出するように配設されたている。差圧流量計など公知の流量計が用いられている。また、原料ガス供給手段５と一体化して、原料ガス供給手段５において流量を検出できるように構成してもよい。例えば、原料ガス供給手段５にシロッコファンが用いられて、その回転数が検出されることで、回転数から空気流量が算出されるように構成してもよい。
【００９３】
空気流量検出手段１３は、燃焼器２に供給される空気の流量を検出するように配設されている。差圧流量計など公知の流量計が用いられている。また、空気供給手段３において流量が検出できるように構成してもよい。例えば、空気供給手段３にシロッコファンが用いられて、その回転数が検出されることで、回転数から空気流量が算出されるようにしてもよい。
【００９４】
実施の形態２の水素生成装置１００の運転及び停止の動作は、実施の形態１と同様である。ただし、原料ガス流量検出手段１２と空気流量検出手段１３の配設により、原料ガス供給手段５及び空気供給手段３が制御されることによって、燃焼器２における原料ガス及び空気流量の適切な流量バランスの実現が可能となる。
【００９５】
また、水素生成装置１００の停止後、原料ガスにより流路部内がパージされた後の、水素生成装置１００の動作は、実施の形態１と同様である。すなわち、水素生成装置１００の停止後、原料ガスにより流路部内がパージされた後において、流路部内の原料ガスの体積収縮量Ｑを演算し、体積収縮量Ｑが所定収縮量Ａ以上に達する場合には、原料ガスを補充するように動作させる。
【００９６】
この補充において、実施の形態２においては、原料ガス流量検出手段１２により原料ガス流量を検出し、原料ガス成分とのモル比計算によって、原料ガスを可燃濃度未満にまで希釈するに必要な空気流量を算出し、その空気流量以上の流量となるように、空気供給手段３を制御する。例えば、天然ガス（都市ガス）の可燃濃度は４.０％であり、プロパンガスのそれは２.１％である。これにより、この補充において、燃焼器２から外部に流出する原料ガスは、原料ガスの可燃濃度未満にまで希釈されるので、原料ガスが外部において不測の燃焼を起こす心配が解消される。
【産業上の利用可能性】
【００９７】
本発明に係る水素生成装置及び水素生成装置の停止方法並びに燃料電池発電装置は、簡便な方法により、水素生成装置の停止後における水素生成装置内の触媒の活性低下を抑制するので、燃料電池への燃料ガス供給装置等として有用である。
【図面の簡単な説明】
【００９８】
【図１】燃料電池に接続された実施の形態１に係る水素生成装置の概略構成を示す模式図である。
【図２】実施の形態１に係る水素生成装置の停止中における動作例を示すフローチャートである。
【図３】同一圧力下における温度変化によるガス体の体積変化を示すグラフである。
【図４】変形例１に係る水素生成装置の停止中における動作を示すフローチャートである。
【図５】変形例２に係る水素生成装置の要部の概略構成を示す模式図である。
【図６】燃料電池に接続された実施の形態２に係る水素生成装置の概略構成を示す模式図である。
【符号の説明】
【００９９】
１  改質器
２  燃焼器（大気開放部）
２ａ  燃焼器入口部
３  空気供給手段
４  改質温度検出手段
５  原料ガス供給手段
７  変成器
８  変成器温度検出手段
９  選択酸化器（最下流触媒反応器）
９ａ  選択酸化器出口部
１０  選択酸化器温度検出手段
１２  原料ガス流量検出手段
１３  空気流量検出手段
１５  制御装置
１６  水供給手段
１７  燃料供給手段
１８  パージガス供給手段
ｂ〜ｇ  連通路
ｆａ  開閉弁
１００  水素生成装置
１００ａ  開閉弁（水素生成装置出口部）
１００ｂ  開閉弁
２００  燃料電池
２００ａ  アノードガス流路
２０１  アノードガス排出流路
【図１】
2005350300.tif 000003
【図２】
2005350300.tif 000004
【図３】
2005350300.tif 000005
【図４】
2005350300.tif 000006
【図５】
2005350300.tif 000007
【図６】
2005350300.tif 000008